(57)【特許請求の範囲】
【請求項１】
第一チェンバ及び第二チェンバを備え、該第一チェンバと第二チェンバとを連通する第一通路が形成されると共に、該第二チェンバと連通する第二通路が形成されるベースと、
カバー体と、組立部材と、アラーム部材と、回動部材と、複数の圧力制御弁と、組立座を備えるアラーム装置と、を有し、
前記カバー体は、音声発生孔を備え、その一端に開口が形成され、前記組立部材は、取付穴を備えると共に、カバー体に組み合わせられ、前記アラーム部材は、組立部材の取付穴に取り付けられ、前記回動部材は、ピンを備え、複数の通気穴が形成されると共に、底面に制限凹部が形成され、前記組立座は、複数の収容穴及び保持穴を備え、前記圧力制御弁は、収容穴に設置され、また、前記ピンの一端が保持穴に挿し込まれると共に、他端が回動部材の制限凹部に挿設され、前記回動部材が組立座に組み合わされることによりカバー体の開口に組み合わせられ、該組立座がベースの第二チェンバに嵌め込まれ、前記回動部材を回転させることによって、複数の前記圧力制御弁のうちの１つを前記通気穴に対応可能であることを特徴とするアラームを備えた空気入れの連結部材。
【請求項２】
前記組立座の上面にテーブル部が凸設され、該テーブル部の端面に固定穴及び複数の第三凹部が凹設され、前記保持穴が該延出部の上面に形成され、
前記組立座の下端の外周面に環状溝が形成され、該環状溝に第三気密リングが環装され、前記収容穴の底端から上端にかけて、第一穴部、第二穴部、第三穴部が順に形成され、該第三穴部の内周面にねじ山が設けられ、該第三穴部が第三凹部と対応するように形成され、
前記圧力制御弁は、第一気密リングと、調整ボルトと、ばねと、押付け棒と、第二気密リングを有し、その内、該調整ボルトは、中心に中心孔が形成されると共に、外周面にねじ山が設けられ、該押付け棒の一端が第二気密リングを通過して組立座の収容穴の第一穴部に挿設され、該ばねの下端が押付け棒の一端に当接され、該押付け棒の他端が収容穴の第二穴部に位置し、該調整ボルトがばねの上端を押付けながら第三穴部のねじ山に螺合され、該第一気密リングがテーブル部の第三凹部に取り付けられ、
前記回動部材は、中心に貫通孔が形成され、底面に第二凹部が形成され、該第二凹部の底面に制限凹部が形成されることにより、該第二凹部による組立座のテーブル部をカバーし、更に、取付ボルトを備え、該取付ボルトは、回動部材の貫通孔を通過してテーブル部の固定穴に取り付けられることを特徴とする請求項１に記載のアラームを備えた空気入れの連結部材。
【請求項３】
前記カバー体は、円筒状を呈し、内周面にねじ山が設けられ、
前記組立部材の外周面にねじ山が設けられ、
前記回動部材の外周面にねじ山が設けられ、
前記カバー体の内周面のねじ山が組立部材の外周面のねじ山及び回動部材の外周面のねじ山に螺合されることを特徴とする請求項２に記載のアラームを備えた空気入れの連結部材。
【請求項４】
一端に第一チェンバが形成され、側面に第二チェンバが形成され、該第一チェンバと連通するように、相対する両端を貫通する第一通路が形成され、一端が第二チェンバと連通し、他端が第一通路と連通する第二通路が形成される、ベースと、
カバー体と、アラーム部材と、回動部材と、複数の圧力制御弁と、組立座を備えるアラーム装置と、を有し、
前記カバー体は、音声発生孔を備え、その一端に開口が形成され、前記アラーム部材がカバー体の内周面に取り付けられ、前記回動部材の一端面に複数の通気穴が形成され、該回動部材の一端面がアラーム部材に当接され、該回動部材がカバー体の開口に取り付けられ、前記圧力制御弁が回動部材の通気穴に取り付けられ、前記組立座に空気孔が形成され、該組立座がベースの第二チェンバに取り付けられ、前記回動部材を回転させることによって、複数の前記圧力制御弁のうちの１つを前記組立座の前記空気孔に対応可能であることを特徴とするアラームを備えた空気入れの連結部材。
【請求項５】
前記回動部材における一端面の中心に貫通孔が形成されると共に、他端面の中心に第二凹部Ａが凹設され、該他端面における、通気穴と対応する箇所に複数の位置決め穴が凹設され、更に、取付ボルトを備え、該取付ボルトが貫通孔に取り付けられ、該通気穴における、第二凹部と接近した部分が階段状に形成され、該第二凹部から離間した部分の内周面にねじ山が設けられ、
前記組立座の一端面にテーブル部が凸設され、該テーブル部の端面中心に固定孔が凹設されると共に、その端面における、空気孔と対応する箇所に第三凹部が形成され、該組立座の他端の外周面に環状溝が形成され、
該組立座はさらに、第三気密リングと、位置決めボルトと、第四気密リングを備え、該第三気密リングが環状溝に環装され、該第四気密リングが第三凹部に取り付けられ、該位置決めボルトが組立座に嵌め込まれてテーブル部を有する端面から突出し、
前記組立座のテーブル部と反対する一端がベースの第二チェンバに取り付けられ、前記第三気密リングが環状溝及び第二チェンバの内周面に当接され、
前記回動部材の第二凹部が組立座のテーブル部の端面をカバーし、
前記第四気密リングの両端が第二凹部及び第三凹部に当接され、
前記回動部材の取付ボルトがテーブル部の固定孔に取り付けられ、
前記組立座の位置決めボルトが回動部材の位置決め穴と対応し、
前記圧力制御弁が、調整ボルトと、ばねと、押付け棒と、第二気密リングを有し、
前記調整ボルトに中心孔が形成され、該調整ボルトの外周面にねじ山が設けられ、
前記押付け棒の一端が第二気密リングを通過して通気穴の階段状の箇所に挿設され、
前記第二気密リングの一端が押付け棒に、他端が通気穴の階段状の端面に当接され、
前記ばねの一端が押付け棒の他端に取り付けられ、
前記調整ボルトが外周面のねじ山を介して通気穴のねじ山に螺合されてばねの他端に当接され、
前記調整ボルトの中心孔がアラーム部材と連通することを特徴とする請求項４に記載のアラームを備えた空気入れの連結部材。
【請求項６】
前記カバー体は、円筒状を呈し、内周面にねじ山が設けられ、
前記アラーム部材の一端に組立部材が設けられ、該組立部材は、薄型の盤体であり、外周面にねじ山が形成され、該ねじ山を介してカバー体の内周面にねじ山に螺合され、
前記回動部材の一端の外周面にねじ山が設けられ、
該回動部材が外周面のねじ山を介してカバー体の内周面のねじ山に螺合されると共に、該回動部材の一端面がアラーム部材の組立部材に当接されることを特徴とする請求項５に記載のアラームを備えた空気入れの連結部材。
【請求項７】
第一チェンバ及び第二チェンバを備え、該第一チェンバと第二チェンバとを連通する第一通路が形成されると共に、該第二チェンバと連通する第二通路が形成されるベースと、
カバー体と、アラーム部材と、回動部材と、複数の圧力制御弁と、組立座を備えるアラーム装置と、を有し、
前記カバー体は、音声発生孔を備え、その一端に開口が形成され、前記アラーム部材がカバー体の内周面に取り付けられ、前記回動部材の一端面に複数の通気穴が形成され、該回動部材の一端面がアラーム部材に当接され、該回動部材がカバー体の開口に取り付けられ、前記圧力制御弁が回動部材の通気穴に取り付けられ、前記組立座に空気孔が形成され、該組立座がベースの第二チェンバに取り付けられ、前記回動部材を回転させることによって、複数の前記圧力制御弁を前記組立座の前記空気孔に対応可能であることを特徴とするアラームを備えた空気入れの連結部材。
【請求項８】
前記回動部材における一端面の中心に貫通孔が形成されると共に、他端面の中心に第二凹部が凹設され、該他端面における、通気穴と対応する箇所に複数の位置決め穴が凹設され、更に、取付ボルトを備え、該取付ボルトが貫通孔に取り付けられ、該通気穴における、第二凹部と接近した部分が階段状に形成され、該第二凹部から離間した部分の内周面にねじ山が設けられ、
前記組立座の一端面にテーブル部が凸設され、該テーブル部の端面中心に固定孔が凹設され、該テーブル部の端面における、空気孔と対応する箇所に第三凹部が形成され、該組立座の他端の外周面に環状溝が形成され、
該組立座はさらに、第三気密リングと、位置決めボルトと、第四気密リングを備え、該第三気密リングが環状溝に環装され、該第四気密リングが第三凹部に取り付けられ、該位置決めボルトが組立座に嵌め込まれてテーブル部を有する端面から突出し、
前記組立座のテーブル部と反対する一端がベースの第二チェンバに取り付けられ、前記第三気密リングが環状溝及び第二チェンバの内周面に当接され、
前記回動部材の第二凹部が組立座のテーブル部の端面をカバーし、
前記第四気密リングの両端が第二凹部及び第三凹部に当接され、
前記回動部材の取付ボルトがテーブル部の固定孔に取り付けられ、
前記組立座の位置決めボルトが回動部材の位置決め穴と対応し、
前記圧力制御弁は、調整ボルトと、ばねと、押付け棒と、第二気密リングを有し、
前記調整ボルトに中心孔が形成され、該調整ボルトの外周面にねじ山が設けられ、
前記押付け棒の一端が第二気密リングを通過して通気穴の階段状の箇所に挿設され、
前記第二気密リングの一端が押付け棒に、他端が通気穴の階段状の端面に当接され、
前記ばねの一端が押付け棒の他端に取り付けられ、
該調整ボルトが外周面のねじ山を介して通気穴のねじ山に螺合されてばねの他端に当接され、
前記調整ボルトの中心孔がアラーム部材と連通することを特徴とする請求項７に記載のアラームを備えた空気入れの連結部材。
【請求項９】
前記カバー体は、円筒状を呈し、内周面にねじ山が設けられ、
前記アラーム部材の一端に組立部材が設けられ、該組立部材は、薄型の盤体であり、外周面にねじ山が形成され、該ねじ山を介してカバー体の内周面にねじ山に螺合され、
前記回動部材の一端の外周面にねじ山が設けられ、
該回動部材が外周面のねじ山を介してカバー体の内周面のねじ山に螺合されると共に、該回動部材の一端面がアラーム部材の組立部材に当接されることを特徴とする請求項８に記載のアラームを備えた空気入れの連結部材。
【発明の詳細な説明】
【技術分野】
【０００１】
本発明は、特にアラームを備えた空気入れの連結部材に関するものである。
【背景技術】
【０００２】
空気入れは、日常の生活において、例えば、自転車のタイヤ、特に登山用自転車のタイヤや、ボールなどの運動用具に空気を入れる時によく使用する非常に大切な道具である。
既存の空気入れは、空気を送り込むためのピストンを有し、そのピストンを往復運動させることにより空気を被空気充填物に充填し、また、空気入れに付いている圧力計によって、被空気充填物の空気圧を確認しながら、空気の充填状況を判断する。
【先行技術文献】
【特許文献】
【０００３】
【特許文献１】台湾の実用新案第Ｍ４９４８３９号
【非特許文献】
【０００４】
【非特許文献１】http://www.1688.com/pic/-BEABC3DCC6F8D1B9B1EDCDBCC6AC.html
【発明の概要】
【発明が解決しようとする課題】
【０００５】
本発明に係るアラームを備えた空気入れの連結部材は、
第一チェンバ及び第二チェンバを備え、該第一チェンバと第二チェンバとを連通する第一通路が形成されると共に、該第二チェンバと連通する第二通路が形成されるベースと、
カバー体と、組立部材と、アラーム部材と、回動部材と、複数の圧力制御弁と、組立座を備えるアラーム装置と、を有し、
前記カバー体は、音声発生孔を備え、その一端に開口が形成され、前記組立部材は、取付穴を備えると共に、カバー体に組み合わせられ、前記アラーム部材は、組立部材の取付穴に取り付けられ、前記回動部材は、ピンを備え、複数の通気穴が形成されると共に、底面に制限凹部が形成され、前記組立座は、複数の収容穴及び保持穴を備え、前記圧力制御弁は、収容穴に設置され、また、前記ピンの一端が保持穴に挿し込まれると共に、他端が回動部材の制限凹部に挿設され、前記回動部材が組立座に組み合わされることによりカバー体の開口に組み合わせられ、該組立座がベースの第二チェンバに嵌め込まれ、前記回動部材を回転させることによって、複数の圧力制御弁のうちの１つを通気穴に対応可能であるものである。
【課題を解決するための手段】
【０００６】
本発明に係るアラームを備えた空気入れの連結部材は、
第一チェンバ及び第二チェンバを備え、該第一チェンバと第二チェンバとを連通する第一通路が形成されると共に、該第二チェンバと連通する第二通路が形成されるベースと、
カバー体と、組立部材と、アラーム部材と、回動部材と、複数の圧力制御弁と、組立座を備えるアラーム装置と、を有し、
前記カバー体は、音声発生孔を備え、その一端に開口が形成され、前記組立部材は、取付穴を備えると共に、カバー体に組み合わせられ、前記アラーム部材は、組立部材の取付穴に取り付けられ、前記回動部材は、ピンを備え、複数の通気穴が形成されると共に、底面に制限凹部が形成され、前記組立座は、複数の収容穴及び保持穴を備え、前記圧力制御弁は、収容穴に設置され、また、前記ピンの一端が保持穴に挿し込まれると共に、他端が回動部材の制限凹部に挿設され、前記回動部材が組立座に組み合わされることによりカバー体の開口に組み合わせられ、該組立座がベースの第二チェンバに嵌め込まれ、前記回動部材の通気穴が選択可能に収容穴に設置された圧力制御弁と対応するものである。
【発明の効果】
【０００７】
上述した構造によれば、その圧力制御弁による所望の空気圧を設定すると共に、回動部材を回転させて適当な空気圧を自由に選択できることから、被空気充填物に空気を充填する時、その選択した空気圧まで空気が充填されると、アラーム装置が音声によりこのことを知らせるので、空気の入れ過ぎを防ぎ、空気入れまたは電動式空気入れを停止するタイミングを簡単に判断できる。故に、空気を充填しながら圧力計を見る必要はなく、単にアラーム装置が鳴ったら、空気入れの操作を停止すればよいので、使用上、非常に便利である。
【図面の簡単な説明】
【０００８】
【図１】本発明に係るアラームを備えた空気入れの連結部材の第一実施例の斜視図である。
【図２】本発明に係るアラームを備えた空気入れの連結部材の第一実施例の断面図である。
【図３】本発明に係るアラームを備えた空気入れの連結部材の第一実施例の上面視部分分解斜視図である。
【図４】本発明に係るアラームを備えた空気入れの連結部材の第一実施例の下面視部分分解斜視図である。
【図５】本発明に係るアラームを備えた空気入れの連結部材の第一実施例おける組立座び透視図である。
【図６】本発明に係るアラームを備えた空気入れの連結部材の第一実施例において、電動式空気入れと組み合わせた状態を示す側面視平面図である。
【図７】本発明に係るアラームを備えた空気入れの連結部材の第二実施例の斜視図である。
【図８】本発明に係るアラームを備えた空気入れの連結部材の第二実施例の部分拡大断面図である。
【図９】本発明に係るアラームを備えた空気入れの連結部材の第二実施例の部分拡大分解斜視図である。
【図１０】本発明に係るアラームを備えた空気入れの連結部材の第二実施例の回動部材を示す拡大斜視図である。
【図１１】本発明に係るアラームを備えた空気入れの連結部材の第三実施例の断面図である。
【発明を実施するための形態】
【０００９】
図１に示すように、本発明に係るアラームを備えた空気入れの連結部材の第一実施例は、アラーム装置１０及びベース２０を有する。
【００１０】
図３及び図４に示すように、前記アラーム装置１０は、カバー体１１と、アラーム部材１２と、組立部材１３と、回動部材１４と、複数の圧力制御弁１５と、組立座１６を備える。尚、本実施例におけるアラーム装置１０は、２つの圧力制御弁１５を備えることが好ましい。
【００１１】
前記カバー体１１は、円筒状を呈し、一端に開口が形成され、他端の中心に音声発生孔１１１が形成され、内周面にねじ山が設けられる。
前記アラーム部材１２は、中空状を呈し、中心に空気通路が形成され、該空気通路に空気が通過すると音声が出る仕組みとなっている。
図２乃至図４に示すように、前記組立部材１３は、外周面にねじ山が設けられ、中心に取付穴１３１が形成され、底面に第一凹部１３２が形成され、前記アラーム部材１２は、組立部材１３の取付穴１３１に取り付けられ、前記カバー体１１における内周面のねじ山が組立部材１３の外周面のねじ山に螺合されることによって、カバー体１１が、音声発生孔１１１がアラーム部材１２と対応するように組立部材１３に組み立てられる。
【００１２】
図２乃至図４に示すように、前記回動部材１４は、中心に貫通孔１４１が形成され、該貫通孔１４１の近傍に複数の通気穴１４２が形成され、上端近傍の外周面にねじ山が設けられ、底面に第二凹部１４３が形成され、該第二凹部１４３の底面に制限凹部１４４が形成され、該回動部材１４にさらに、取付ボルト１４５及びピン１４６を有する。尚、前記制限凹部１４４は、弧状の凹みであることが好ましい。
本実施例における回動部材１４は、２つの通気穴１４２を有し、それらの通気穴１４２が組立部材１３の第一凹部１３２と連通するように、該回動部材１４の上端面が組立部材１３の底面に当接されると共に、該回動部材１４の外周面のねじ山を介してカバー体１１の内周面のねじ山に螺合される。
【００１３】
前記圧力制御弁１５は、第一気密リング１５１と、調整ボルト１５２と、ばね１５３と、押付け棒１５４と、第二気密リング１５５を有し、そのうち調整ボルト１５２は、中心に中心孔１５２１が形成されると共に、外周面にねじ山が設けられ、該第一気密リング１５１及び第二気密リング１５５は、環状の気密ガスケットであり、該押付け棒１５４は、略柱状であり、その外周面に環状の凸縁が設けられる。
【００１４】
図３及び図５に示すように、前記組立座１６は、上面にテーブル部１６１が凸設され、該テーブル部１６１の端面中心に固定穴１６１１が凹設され、該テーブル部１６１の端面にさらに、保持穴１６１２及び複数の第三凹部１６１３が形成される。
更に、前記組立座１６の下端の外周面に環状溝１６２が形成され、該環状溝１６２に第三気密リング１６４が環装され、また、該組立座１６の下端面に複数の収容穴１６３が形成され、該収容穴１６３の下方から上方にかけて、第一穴部１６３１、第二穴部１６３２、第三穴部１６３３が順に形成され、その内、該第三穴部１６３３の内周面にねじ山が設けられ、該第三穴部１６３３が第三凹部１６１３と連通するように形成される。
尚、本実施例における組立座１６は、２つの第三凹部１６１３及び２つの収容穴１６３を有することが好ましい。
【００１５】
図２乃至図５に示すように、前記圧力制御弁１５における押付け棒１５４の一端が第二気密リング１５５を通過して組立座１６の収容穴１６３の第一穴部１６３１に挿設されると共に、該押付け棒１５４の他端が収容穴１６３の第二穴部１６３２に位置し、この時、該第二気密リング１５５の一端が押付け棒１５４に当接されると共に、該第二気密リング１５５の他端が第二穴部１６３２と隣接する第一穴部１６３１の端面に当接され（図２及び図５の如く）、更に、該圧力制御弁１５のばね１５３の下端が押付け棒１５４の上端に当接され、該ばね１５３の上端が調整ボルト１５２と当接され、該調整ボルト１５２がばね１５３の上端を押付けながら第三穴部１６３３のねじ山に螺合され、中心孔１５２１が収容穴１６３と連通し、また、該圧力制御弁１５の第一気密リング１５１がテーブル部１６１の第三凹部１６１３に取り付けられる。
【００１６】
前記回動部材１４は、第二凹部１４３が第三凹部１６１３をカバーするように組立座１６に組み合わせられ、この時、第一気密リング１５１の上端が第二凹部１４３に当接されると共に、下端が第三凹部１６１３に当接され、該回動部材１４の通気穴１４２は、回動可能に圧力制御弁１５と対応するように調整できる。また、前記取付ボルト１４５は、回動部材１４の貫通孔１４１を通過してテーブル部１６１の固定穴１６１１に取り付けられ、ピン１４６の一端が保持穴１６１２に挿し込まれると共に、他端が回動部材１４の制限凹部１４４に挿設される。
【００１７】
図２に示すように、前記ベース２０の上側端面に第一チェンバ２１及び第二チェンバ２２が間隔をおいて形成され、それら内部における第一チェンバ２１と第二チェンバ２２との間にそれらを連通するための第一通路２３が形成され、更に、該ベース２０の側面に第二チェンバ２２と連通する第二通路２４が形成される。
また、前記アラーム装置１０の底端、即ち、組立座１６のテーブル部１６１と反対する端がベース２０の第二チェンバ２２に嵌め込まれることにより、第三気密リング１６４が環状溝１６２と第二チェンバ２２の内周面との間に設置される。
【００１８】
図１及び図２に示すように、本発明に係るアラームを備えた空気入れの連結部材によれば、使用者がペダルＰの上に足をおき、両手でハンドルＭを上下往復運動させて圧力をかけることにより、空気を第一チェンバ２１、第一通路２３、第二チェンバ２２、第二通路２４を順に通過させ、該第二通路２４に装着した空気注入弁Ａを介して被空気充填物に充填することができる。
そして、図３乃至図５に示すように、被空気充填物への空気の充填が完了すると、第二チェンバ２２内の空気圧によって、圧力制御弁１５のばね１５３の付勢力で押付け棒１５４を押し上げ、空気が組立座１６の収容穴１６３、調整ボルト１５２の中心孔１５２１、回動部材１４の通気穴１４２を通過してアラーム部材１２の空気通路を通り、アラーム部材１２からアラームが鳴り、空気がカバー体１１の音声発生孔１１１を通過してアラーム装置１０から排出する。
【００１９】
本発明に係るアラームを備えた空気入れにおいて、所望の空気圧に設定する場合は、圧力制御弁１５の調整ボルト１５２をねじり、ばね１５３を押圧して押付け棒１５４を押し付け、押付け棒１５４に装着される第二気密リング１５５によって、組立座１６の収容穴１６３と第二チェンバ２２とを遮断して連通させなくする。このように、第二チェンバ２２に所定の気圧にならなければ、第二チェンバ２２が組立座１６の収容穴１６３と連通しないことから、複数の圧力制御弁１５にそれぞれの空気圧を、例えば、１００psiや、１５０psi、２００psiなどに設定することができる。
一方、本発明に係るアラームを備えた空気入れの連結部材において、幾つかの圧力制御弁１５を用いれば、所望の空気圧を複数設定することができ、その場合、回動部材１４をピン１４６に対して回動させて通気穴１４２を何れか１つの圧力制御弁１５と対応するように調整すれば、所望の空気圧を選択することができる。
また、本実施例における回動部材１４の通気穴１４２、圧力制御弁１５、組立座１６の収容穴１６３の数量は、何れも２つであるが、その数量に制限はないことから、３つや、４つ、５つなどとしてもよく、少なくとも２つを有すればよい。
【００２０】
図６に示すように、本発明に係るアラームを備えた空気入れの連結部材は、電動式空気入れに組み合わせて使用することもでき、その場合は、電動ポンプＥを、連結管Ｃ及び連結部材Ｎを介してベース２０の第一チェンバ２１に組み合わせ、電動ポンプＥを稼動すれば、空気を被空気充填物に注入し続け、被空気充填物の内部が設定した空気圧になると、アラーム装置１０からアラームが鳴り、使用者に告知する。
【００２１】
図７及び図８に示すように、本発明に係る第二実施例は、ベース２０Ａの一端に第一チェンバ２１Ａが設けられると共に、他端に外部接続部材２００Ａが設けられ、内部における相対する両端を貫通すると共に、第一チェンバ２１Ａと外部接続部材２００Ａとを連通するための第一通路２３Ａが形成され、更に、該ベース２０Ａの側面に第二チェンバ２２Ａが設けられ、内部に第二チェンバ２２Ａと連通する第二通路２４Ａが形成される。
組み立てる時は、そのエアーポンプのピストン部材Ｍを第一チェンバ２１Ａに取り付けて、第一通路２３Ａを介して外部接続部材２００Ａと連通させればよい。尚、本実施例のアラーム装置１０Ａは、第二チェンバ２２Ａに取り付けられ、第二通路２４Ａを介して第一通路２３Ａと連通する。
【００２２】
図８及び図９に示すように、前記アラーム装置１０Ａは、カバー体１１Ａと、アラーム部材１２Ａと、回動部材１４Ａと、複数の圧力制御弁１５Ａと、組立座１６Ａを有し、そのうちカバー体１１Ａは、円筒状を呈し、一端に開口が形成されると共に、他端の中心且つ外周面に複数の音声発生孔１１１Ａが形成され、内周面にねじ山が設けられる。また、前記アラーム部材１２Ａの一端に薄型の盤体である組立部材１２１Ａが設けられ、組立部材その外周面にねじ山が形成され、該ねじ山を介してカバー体１１Ａの内周面におけるねじ山に螺合される。
【００２３】
図８及び図９に示すように、前記回動部材１４Ａにおける、一端面の中心に貫通孔１４１Ａが形成されると共に、該一端面に複数の通気穴１４７Ａが形成され、該一端の外周面にねじ山が設けられ、一方、該回動部材１４Ａにおける、他端面の中心に第二凹部１４３Ａが凹設されると共に、該他端面における、通気穴１４７Ａと対応する箇所に複数の位置決め穴１４８Ａが凹設され、さらに、該回動部材１４は、貫通孔１４１Ａに取り付けられる取付ボルト１４５Ａを備え、該通気穴１４７Ａは空気通路であり、該通気穴１４７Ａにおける、第二凹部１４３Ａと接近した部分が階段状に形成され、該第二凹部１４３Ａから離間した部分の内周面にねじ山が設けられる。
【００２４】
また、その回動部材１４Ａは、外周面のねじ山を介してカバー体１１Ａの内周面のねじ山に螺合されると共に、該回動部材１４Ａの一端の端面は、アラーム部材１２Ａの組立部材１２１Ａに当接される。
尚、本実施例における回動部材１４Ａは、２つの通気穴１４７Ａ及び２つの位置決め穴１４８Ａを有することが好ましい。
【００２５】
図８及び図９に示すように、前記圧力制御弁１５Ａは、第一実施例と同一であり、調整ボルト１５２Ａと、ばね１５３Ａと、押付け棒１５４Ａと、第二気密リング１５５Ａを有する。
【００２６】
前記圧力制御弁１５Ａが回動部材１４Ａの通気穴１４７Ａに取り付けられ、押付け棒１５４Ａの一端が第二気密リング１５５Ａを通過して通気穴１４７Ａの階段状の箇所に挿設され、該第二気密リング１５５Ａの一端が押付け棒１５４Ａに、他端が通気穴１４７Ａの階段状の端面に当接され、前記ばね１５３Ａの一端が押付け棒１５４Ａの他端に取り付けられ、前記調整ボルト１５２Ａが外周面のねじ山を介して通気穴１４７Ａのねじ山に螺合されてばね１５３Ａの他端に当接され、該調整ボルト１５２Ａの中心孔１５２１Ａがアラーム部材１２Ａと連通する。
【００２７】
図８及び図９に示すように、前記組立座１６Ａの一端の端面にテーブル部１６１Ａが凸設され、該テーブル部１６１Ａの端面中心に固定孔１６１１Ａが凹設されると共に、該テーブル部１６１Ａの端面に第三凹部１６１３Ａが形成され、該第三凹部１６１３Ａの中心に空気孔１６６Ａが形成され、該組立座１６Ａの他端近傍の外周面に環状溝１６２Ａが形成され、該組立座１６Ａはさらに、第三気密リング１６４Ａと、位置決めボルト１６５Ａと、第四気密リング１６７Ａを備え、そのうち第三気密リング１６４Ａが環状溝１６２Ａに環装され、該第四気密リング１６７Ａが第三凹部１６１３Ａに取り付けられ、該位置決めボルト１６５Ａが組立座１６Ａに嵌め込まれてテーブル部１６１Ａを有する端面から突出する。
【００２８】
図８乃至図１０に示すように、前記回動部材１４Ａの第二凹部１４３Ａが組立座１６Ａのテーブル部１６１Ａの端面をカバーするように組み合わされ、前記第四気密リング１６７Ａの両端が第二凹部１４３Ａ及び第三凹部１６１３Ａに当接され、前記取付ボルト１４５Ａが回動部材１４Ａの貫通孔１４１Ａを通過してテーブル部１６１Ａの固定孔１６１１Ａに取り付けられ、前記位置決めボルト１６５Ａが回動部材１４Ａの位置決め穴１４８Ａと対応し、前記組立座１６Ａにおける、テーブル部１６１Ａと反対する一端がベース２０Ａの第二チェンバ２２Ａに取り付けられ、前記第三気密リング１６４Ａが環状溝１６２Ａ及び第二チェンバ２２Ａの内周面に当接される。
【００２９】
使用者は、被空気充填物に応じて、回動部材１４Ａを回転させて適当な制限気圧を選択することができる。この時、組立座１６Ａの位置決めボルト１６５Ａが回動部材１４Ａの何れか１つの位置決め穴１４８Ａと当接し、回動部材１４Ａの通気穴１４７Ａに装着された圧力制御弁１５Ａが組立座１６Ａの空気孔１６６Ａと連通することから、空気が第二チェンバ２２Ａから、組立座１６Ａの空気孔１６６Ａ、回動部材１４Ａの通気穴１４７Ａ、調整ボルト１５２Ａの中心孔１５２１Ａを介してアラーム部材１２Ａの空気通路を通過し、アラーム部材１２Ａのアラームを鳴らしながら、空気がカバー体１１Ａの音声発生孔１１１Ａから発せられる。
【００３０】
尚、本発明に係る第二実施例では、２つの圧力制御弁１５Ａ及び２つの通気穴１４７Ａを用いるが、数量に制限はなく、例えば、４つの圧力制御弁１５Ａや、４つの通気穴１４７Ａ、４つの位置決め穴１４８Ａを有してもよい。
【００３１】
図１１に示すように、本発明に係る第三実施例は、第二実施例におけるアラーム装置１０Ａを、第一実施例におけるベース２０に装着したものであり、本実施例におけるアラーム装置１０Ａの組立座１６Ａのテーブル部１６１Ａと反対する端がベース２０の第二チェンバ２２に嵌め込まれると共に、第三気密リング１６４Ａが環状溝１６２Ａ及び第二チェンバ２２Ａの内周面に当接される。尚、本実施例における使用方法及び効果は、第一実施例及び第二実施例と同様であるので、ここでの説明を省略する。
【符号の説明】
【００３２】
１０、１０Ａ アラーム装置
１１、１１Ａ カバー体
１１１、１１１Ａ 音声発生孔
１２、１２Ａ アラーム部材
１２１Ａ 組立部材
１３ 組立部材
１３１ 取付穴
１３２ 第一凹部
１４、１４Ａ 回動部材
１４１、１４１Ａ 貫通孔
１４２ 通気穴
１４３、１４３Ａ 第二凹部
１４４ 制限凹部
１４５、１４５Ａ 取付ボルト
１４６ ピン
１４７Ａ 通気穴
１４８Ａ 位置決め穴
１５、１５Ａ 圧力制御弁
１５１ 第一気密リング
１５２、１５２Ａ 調整ボルト
１５２１、１５２１Ａ 中心孔
１５３、１５３Ａ ばね
１５４、１５４Ａ 押付け棒
１５５、１５５Ａ 第二気密リング
１６、１６Ａ 組立座
１６１、１６１Ａ テーブル部
１６１１、１６１１Ａ 固定穴
１６１２ 保持穴
１６１３、１６１３Ａ 第三凹部
１６２、１６２Ａ 環状溝
１６３ 収容穴
１６３１ 第一穴部
１６３２ 第二穴部
１６３３ 第三穴部
１６４、１６４Ａ 第三気密リング
１６５Ａ 位置決めボルト
１６６Ａ 空気孔
１６７Ａ 第四気密リング
２０、２０Ａ ベース
２００Ａ 外部接続部材
２１、２１Ａ 第一チェンバ
２２、２２Ａ 第二チェンバ
２３、２３Ａ 第一通路
２４、２４Ａ 第二通路
Ａ 空気注入弁
Ｃ 連結管
Ｅ 電動ポンプ
Ｍ ハンドル
Ｎ 連結部材Ｐ ペダル
【図１】
0005987935.tif 000002
【図２】
0005987935.tif 000003
【図３】
0005987935.tif 000004
【図４】
0005987935.tif 000005
【図５】
0005987935.tif 000006
【図６】
0005987935.tif 000007
【図７】
0005987935.tif 000008
【図８】
0005987935.tif 000009
【図９】
0005987935.tif 000010
【図１０】
0005987935.tif 000011
【図１１】
0005987935.tif 000012